(57)【要約】【課題】  メモリカードに記録されている複数の画像の中から目的の画像を見つけようとしても、１枚ずつ画像送りしていたのではなかなか目的の画像が表示されないことが多い。そこで画像送り中に、すばやく所望の画像を見つけるための撮像装置を提供する。【解決手段】  画像送り操作ボタンがされたことに応じて、読み出し手段によって読み出された画像を表示手段に１枚ずつ表示させる画像送り手段と、画像送りボタンによる連続した画像送りを行うための所定の操作がされたことに応じて、表示手段に表示されている画像から所望の画像へとジャンプするための画像ジャンプメニューを表示するジャンプメニュー表示手段とを有することを特徴とする。【選択図】  図４
2010288269.tif 000002
【特許請求の範囲】
【請求項１】
複数の画像が格納されている記憶媒体から画像を読み出す読み出し手段と、
前記読み出し手段が読み出した画像を表示する表示手段と、
ユーザからの操作を受け付ける操作部と
前記操作部に対して画像送りのための操作がなされたことに応じて、前記表示手段に表示される画像を所定の順序で次の画像に切り替える画像送りを実行する画像送り手段と、
前記画像送り手段により前記所定の順序で連続して画像送りが行われたことに応じて、前記画像送り手段による所定順序での画像切り替えとは異なる画像の切り替えを行うためのメニュー画面を前記表示手段に表示させる表示制御手段とを有することを特徴とする撮像装置。
【請求項２】
前記操作部に対して連続して画像送りのための操作がなされたことに応じて、前記表示制御手段は、前記メニュー画面を表示させることを特徴とする請求項１に記載の撮像装置。
【請求項３】
前記操作部が所定回数押下された、又は、前記操作部が長押しされたことに応じて、前記表示制御手段は、前記メニュー画面を表示させることを特徴とする請求項１または２に記載の撮像装置。
【請求項４】
前記メニュー画面は、前記画像送り手段による所定順序での画像切り替えとは異なる画像の切り替えを行うための、複数の項目を有しており、
前記複数の項目のうちの１つが選択されたことに応じて、前記表示制御手段は、前記表示手段に表示される画像を、選択された項目に応じた画像に切り替えて表示することを特徴とする請求項１ないし３のいずれか１項に記載の撮像装置。
【請求項５】
前記複数の項目は、指定された枚数先の画像に切り替えるための項目、指定された日付の画像に切り替えるための項目、前記記憶媒体のフォルダのうち指定されたフォルダに格納されている画像に切り替えるための項目、指定されたカテゴリの画像に切り替える項目のうちのいずれかを含むことを特徴とする請求項４に記載の撮像装置。
【請求項６】
前記表示制御手段は、前記表示手段に前記メニュー画面を表示させた後に、前記操作部に画像送りのための操作がなされたことに応じて、前記メニュー画面を非表示にすることを特徴とする請求項１ないし５のいずれか１項に記載の撮像装置。
【請求項７】
前記表示制御手段は、前記メニュー画面を表示させた後で、所定枚数の画像送りが行われたことに応じて、前記メニュー画面の表示を非表示にすることを特徴とする請求項６に記載の撮像装置。
【請求項８】
複数の画像が格納されている記憶媒体から画像を読み出す読み出し手段と、前記読み出し手段が読み出した画像を表示する表示手段と、画像送りの操作を受け付ける操作部と、前記表示手段への表示を制御する制御手段とを有する撮像装置であって、
前記撮像装置は、
前記操作部への操作に応じて、前記記憶媒体に格納されている複数の画像を、所定の順序で１枚ずつ切り替えて前記画像表示手段に表示させる画像送り機能と、
前記記憶媒体に格納されている複数の画像のうち、所定条件を満たす画像を前記表示手段に表示させる検索表示機能とを有し、
前記制御手段は、前記操作部に前記画像送り機能により連続して画像を切り替えて表示するための操作がされたことに応じて、前記操作部への操作に応じた画像を前記表示手段に１枚ずつ表示させると共に、前記検索表示機能を実行するための選択項目を含むメニュー画面を、前記表示手段に表示されている画像と共に表示させることを特徴とする撮像装置。
【請求項９】
前記制御手段は前記メニュー画面を前記表示手段に表示される画像に重畳させて表示することを特徴とする請求項８に記載の撮像装置。
【請求項１０】
前記メニュー画面は、複数の選択項目を有しており、
前記複数の選択項目のうちの１つが選択されたことに応じて、前記制御手段は、選択された選択項目に対応する条件を満たす画像に切り替えて表示することを特徴とする請求項８または９に記載の撮像装置。
【請求項１１】
前記メニュー画面は、複数の選択項目を有しており、
前記複数の選択項目は、指定された枚数先の画像に切り替えるための項目、指定された日付の画像に切り替えるための項目、前記記憶媒体のフォルダのうち指定されたフォルダに格納されている画像に切り替えるための項目、指定されたカテゴリの画像に切り替える項目のうちの少なくともいずれか１つを含むことを特徴とする請求項８ないし１０のいずれか１項に記載の撮像装置。
【請求項１２】
前記制御手段は、連続して画像を切り替えて表示されるための操作に応じて、連続して画像を切り替えて表示されるための操作以外の、前記メニュー画面の表示させるための操作方法をユーザに通知するための表示を行うことを特徴とする請求項８ないし１１のいずれか１項に記載の撮像装置。
【請求項１３】
表示手段への表示を制御するために、少なくとも１つの制御手段により実行される表示制御方法であって
複数の画像が格納されている記憶媒体から画像を読み出す読み出し工程と、
ユーザからの操作を受け付ける操作部に対して画像送りのための操作がなされたことに応じて、前記表示手段に表示される画像を所定の順序で次の画像に切り替える画像送りを実行する画像送り工程と、
前記所定の順序で連続して画像送りが行われたことに応じて、前記所定順序での画像切り替えとは異なる画像の切り替えを行うためのメニュー画面を前記表示手段に表示させるメニュー表示工程とを有することを特徴とする表示制御方法。
【請求項１４】
複数の画像が格納されている記憶媒体から画像を読み出す読み出し手段と、前記読み出し手段が読み出した画像を表示する表示手段と、画像送りの操作を受け付ける操作部と、前記表示手段への表示を制御する制御手段とを有する表示装置であって、
前記表示装置は、
前記操作部への操作に応じて、前記記憶媒体に格納されている複数の画像を、所定の順序で１枚ずつ切り替えて前記画像表示手段に表示させる画像送り機能と、
前記記憶媒体に格納されている複数の画像のうち、所定条件を満たす画像を前記表示手段に表示させる検索表示機能とを有し、
前記制御手段は、前記操作部に前記画像送り機能により連続して画像を切り替えて表示するための操作がされたことに応じて、前記操作部への操作に応じた画像を前記表示手段に１枚ずつ表示させると共に、前記検索表示機能を実行するための選択項目を含むメニュー画面を、前記表示手段に表示されている画像に重畳させて表示させることを特徴とする表示装置。
【発明の詳細な説明】
【技術分野】
【０００１】
本発明は、撮像装置又は表示装置における、画像送り表示に関する。
【背景技術】
【０００２】
従来、デジタルカメラ等の撮像装置において、メモリカードに記録された画像を読み出して表示画面上に表示させる画像再生モードで画像送りボタンを操作することにより、表示された画像を順次送っていく画像送り機能がある。
【０００３】
通常画像送り機能では、１枚ずつ撮影した画像を確認し、確認した画像を選択して印刷等の各種処理を行うことが可能である。
【０００４】
また特許文献１は、画像送りボタンが長押しされると、縮小画像を並べて表示する一覧表示モードに切り替える画像再生方法が考案されている。
【先行技術文献】
【特許文献】
【０００５】
【特許文献１】特開２００６−８０８３７号公報
【発明の概要】
【発明が解決しようとする課題】
【０００６】
しかしながら、複数の画像の中から目的の画像を見つけようとしても、１枚ずつ画像送りしていたのではなかなか目的の画像が表示されず、目的の画像を見つけるまでに時間がかかることが多い。
【０００７】
また、上記特許文献１のように縮小画像を一覧表示させても、表示画面上に複数の縮小画像が表示されるにすぎず、一覧表示された縮小画像の中に目的の画像が含まれていない場合、依然として目的の画像が表示されるまでに時間がかかることが多い。
【０００８】
また、所望の画像をすばやく特定するために再生中の画像から指定した先のフォルダに含まれている画像又は指定した日付に撮影された画像へとジャンプできる画像ジャンプ機能を有するデジタルカメラもある。しかし、本発明のその他の課題として、例えばデジタルカメラの操作に不慣れなユーザは、当該画像ジャンプ機能の存在について知らず、せっかくの画像ジャンプ機能が活用されないことが多かった。
【０００９】
そこで本発明は、画像送り中にすばやく所望の画像を見つけるためのデジタルカメラおよび表示制御装置を提供することを目的とする。
【課題を解決するための手段】
【００１０】
上述の課題を解決すべく、本発明の撮像装置または表示装置は、複数の画像が格納されている記憶媒体から画像を読み出す読み出し手段と、読み出し手段が読み出した画像を表示する表示手段と、ユーザからの操作を受け付ける操作部と、操作部に対して画像送りのための操作がなされたことに応じて、表示手段に表示される画像を所定の順序で次の画像に切り替える画像送りを実行する画像送り手段と、画像送り手段により所定の順序で連続して画像送りが行われたことに応じて、画像送り手段による所定順序での画像切り替えとは異なる画像の切り替えを行うためのメニュー画面を表示手段に表示させる表示制御手段とを有することを特徴とする。
【００１１】
また、本発明の撮像装置は、複数の画像が格納されている記憶媒体から画像を読み出す読み出し手段と、読み出し手段が読み出した画像を表示する表示手段と、画像送りの操作を受け付ける操作部と、表示手段への表示を制御する制御手段とを有する撮像装置であって、操作部への操作に応じて、記憶媒体に格納されている複数の画像を、所定の順序で１枚ずつ切り替えて画像表示手段に表示させる画像送り機能と、記憶媒体に格納されている複数の画像のうち、所定条件を満たす画像を表示手段に表示させる検索表示機能とを有し、制御手段は、操作部に画像送り機能により連続して画像を切り替えて表示するための操作がされたことに応じて、操作部への操作に応じた画像を表示手段に１枚ずつ表示させると共に、検索表示機能を実行するための選択項目を含むメニュー画面を、表示手段に表示されている画像と共に表示させることを特徴とする。
【発明の効果】
【００１２】
画像送り中にすばやく所望の画像を見つけるためのメニュー画面を表示させるため、操作性が向上する。
【図面の簡単な説明】
【００１３】
【図１】本発明の実施形態に係る撮像装置のブロック構成を示す図
【図２】撮像装置の表示部および操作部の説明と、画像ジャンプメニューの表示について説明するための図
【図３】撮像装置における画像ジャンプメニュー項目の詳細を示す図
【図４】撮像装置における画像ジャンプメニュー表示するときの処理を示すフローチャート
【発明を実施するための形態】
【００１４】
以下、図面を参照して本発明を適用できる撮像装置又は表示制御装置について説明する。
【００１５】
図１は、本発明の撮像装置又は表示制御装置の一例としてのデジタルカメラのブロック構成を示す図である。
【００１６】
２０１は、デジタルカメラである。デジタルカメラ２０１は、Ｉ／Ｏ制御部１０２と、バス１０３と、画像再生部１０４と、表示部１０５と、ＵＩ制御部１０６と、ＵＩ操作部１０７と、システム制御部１０８と、撮像部１０９とを備える。メモリカード１０１は、デジタルカメラ２０１に着脱可能に装着されている。
【００１７】
システム制御部１０８と、Ｉ／Ｏ制御部１０２と、画像再生部１０４と、表示部１０５と、ＵＩ制御部１０６と、ＵＩ操作部１０７は、バス１０３によって相互に接続され、データのやりとりがバス１０３を通して行われる。
【００１８】
システム制御部１０８は、上記各部を中央制御する。システム制御部１０８は、ここでは図示しないが、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有する。ＣＰＵは、ＲＯＭに格納されているプログラムを読み出し、読み出したプログラムに基づいて演算処理および各ブロックの制御を行うことにより後述の各処理が実行される。ＲＯＭには、画像ジャンプメニューを表示して指定された先の画像にジャンプする処理を実行するためのプログラムが格納されている。画像ジャンプメニューは、画像送りによる画像の切り替えとは異なる画像に切り替えるための操作画面である。詳細については後述する。
【００１９】
メモリカード１０１はデジタルカメラ２０１で生成した画像データが記録されている。この画像データは、撮影順に画像番号（ファイル名）が付与されている。なお、メモリカード１０１の代わりに光ディスクやＨＤＤ（Ｈａｒｄ  Ｄｉｓｋ  Ｄｒｉｖｅ）等の外部記録媒体を使用することによっても本発明を適用できる。
【００２０】
Ｉ／Ｏ制御部１０２は、スロットや入出力制御回路等から構成され、メモリカード１０１から画像データを読み出し、読み出した画像データを画像再生部１０４へ送る動作を行う。
【００２１】
バス１０３は、デジタルカメラ２０１の各構成を接続する。バス１０３を介して、各部間の画像データの通信及び各処理のための制御信号の通信が行われる。
【００２２】
画像再生部１０４は、Ｉ／Ｏ制御部１０２で読み出した画像データを再生する箇所である。デコード処理を行い、表示部１０５に表示できる形式にデータ変換する動作を行う。
【００２３】
表示部１０５は、読み込んだ画像データの表示制御及びＵＩ制御部１０６からの指示によるメニューの表示制御を行う。表示部１０５は、読み込んだ画像データ及びメニューを表示するための表示画面を有する。表示画面は液晶ディスプレイ（ＬＣＤ）等からなる。なお、画像データを表示する表示画面及びメニューを表示する表示画面がそれぞれ別の表示画面であってもかまわない。
【００２４】
ＵＩ操作部１０７は、ユーザに操作される各種操作ボタンと、各種操作ボタンの操作を検知する検知回路とを備える。
【００２５】
ＵＩ操作部１０７が備える各種操作ボタンは、画像送りを行うための画像送りボタンを有する。画像送りの説明については後述する。なお、ＵＩ操作部１０７が備える各種操作ボタンは、表示部１０５と一体となったタッチパネル式のボタンにより直感的に操作できるものであってもよい。
【００２６】
ＵＩ操作部１０７が備える検知回路は、各種操作ボタンがユーザによって操作されることによって、ボタン操作を検知し、各種ボタンが操作されたことをＵＩ制御部１０６に通知する。
【００２７】
ＵＩ制御部１０６は、ＵＩ操作部１０７からの通知を受けユーザの操作を判定し、画像ジャンプメニューの作成、表示部１０５への画像ジャンプメニュー表示要求等を行う。
【００２８】
撮像部１０９は、レンズやシャッター等の光学系と、光学系によって結像された画像を光電変換するＣＣＤ等の撮像素子とを有する。撮像素子で変換された画像データは、Ｉ／Ｏ制御部１０２を介してメモリカード１０１に記録される。
【００２９】
図２（ａ）は、図１の表示部１０５が備える表示画面と、図１のＵＩ操作部１０７が備える各種操作ボタンの一例を示す図である。
【００３０】
図２に示すデジタルカメラ２０１は、図１に示したデジタルカメラ２０１の外観を示している。デジタルカメラ２０１は、図１に示す表示部１０５が備えるＬＣＤ２０２と、図１に示すＵＩ操作部１０７が備える各種操作部材２０４〜２１６を有する。
【００３１】
画像再生モード時には、ＬＣＤ２０２には、２０３のように、デジタルカメラ２０１のスロットに挿入されたメモリカード１０１に記録されている画像データの画像が表示され、画像と共に、メモリカードに記録されている画像の総数（１０００）と、現在表示中の画像データが何番目の画像であるかを示す番号（７７７）を表示されている。この場合、メモリカード１０１に１０００枚の画像が記録されていて、現在７７７番目の画像がＬＣＤ２０２に表示されている状態である。なお、本実施形態では、画像データは画像番号順に表示画面に表示される。画像データの表示順については、画像番号順ではなく、撮影日時順に画像データを表示してもよい。
【００３２】
以下、各種操作部材２０４〜２１６について詳細に説明する。
【００３３】
２０４はモード切り替えダイヤルで、カメラモードを切り替えるためのダイヤルである。カメラモードには、例えば静止画撮影モード、動画撮影モードなどがある。
２０５は電源ボタンで、デジタルカメラ２０１の電源の入切に使用される。
２０６は再生ボタンで、ＬＣＤ２０２において、メモリカード内の画像を再生する画像再生モードに切り替えるためのボタンである。ユーザが再生ボタン２０６を操作することにより、通常再生モードに切り替わり、メモリカード１０１に記録された画像データがＩ／Ｏ制御部１０２によって読み出され、ＬＣＤ２０２に表示される。
２０７は上ボタンで、画像の拡大表示中のビュー移動や、メニュー表示中のメニュー項目の移動の際に使用されるボタンである。また、後述するジャンプ機能を利用する際にも使用される。
２０８は下ボタンで、画像の拡大表示中のビュー移動や、メニュー表示中のメニュー項目の移動、表示中の画像を削除する際に使用されるボタンである。
２０９は左ボタンで、画像の拡大表示中のビュー移動や、表示画像を１つ前の画像に戻す際に使用されるボタンであり、２１０は右ボタンで、画像の拡大表示中のビュー移動や、表示画像を１つ先の画像に進める際に使用されるボタンである。２０９、２１０は、図１のＵＩ操作部１０７が備える画像送りボタンの一例であり、画像再生モードにおいて、ユーザにより画像送りボタンが押下されると、画像送りが実行される。
【００３４】
以降の説明で、画像送りは、表示画面に表示された画像を所定の順序（本実施形態では、画像番号順だが撮影日時順等でも良い）にしたがって１枚切り替える処理をいう。また、画像送り操作とは、画像送りの処理をデジタルカメラに対して行わせるための操作のことをいう。本実施形態では、画像送りボタンを押下することにより画像送り操作がされたことに応じて、現在表示画面に表示されている画像から、次の画像番号の画像又は前の画像番号の画像に切り替えて表示する。図２（ａ）において、右ボタン２１０を押下すると７７８番目の画像がＬＣＤ上に表示され、左ボタン２０９を押下すると７７６番目の画像が表示される。また、縮小画像を並べて表示する一覧モードでは、画像を選択するためのフォーカス枠が表示され、ユーザが画像送りボタンを押下することによりフォーカス枠が移動する。
【００３５】
２１１はホイールボタンで、図２（ａ）の矢印で示したように、時計周り及び反時計周りに回転可能な回転式の操作部材である。ホイールボタン２１１は、図１のＵＩ操作部１０７が備える画像送りボタンの一例であり、左ボタン２０９、右ボタン２１０と同じように表示された画像を１つ前に戻したり、１つ先に進めたりする画像送りを行うための指示を入力することができる。なお、本実施例では、時計周り方向に回転させた際には１つ先に画像を進めて表示し、反時計周り方向に回した際には１つ前の画像に戻して表示する。
【００３６】
なお、ＵＩ操作部１０７が備える画像送りボタンは、前述の左ボタン２０９と、右ボタン２１０と、ホイールボタン２１１とに限定されるものではなく、表示画面に表示される画像を１枚切り替えるためのものであればよい。
【００３７】
２１２はＤＩＳＰボタンで、画面表示の切り替えに使用される。
２１３はＭＥＮＵボタンで、メニューの表示／非表示の切り替えや前画面に戻る際に使用される。
２１４は、ＳＥＴボタンで、各種選択項目の決定を行う際に使用される。
２１５は、カメラのシャッターボタンで、撮影時にこのボタンを押下することで撮影動作が行われる。
２１６は、ズームレバーで、撮影時にはズームイン／ズームアウト、画像再生時には画像の拡大／縮小を行う際に使用される。
３０２は、スピーカで、音声によりガイダンスを通知する場合に使用する。
【００３８】
次に、図２（ｂ）を用いて、ユーザによる画像早送り操作が行われたときの画像ジャンプメニューの表示に関する説明を行う。図２（ｂ）は、画像ジャンプメニューの表示例を示す図である。以下の説明では、再生ボタン２０６で画像再生モードが選択されていることを前提とする。
【００３９】
まず、ホイールボタン２１１を時計周りに連続で回転させることにより画像送りを行うと、画像の早送りが行われる。ここで、早送りとは、例えば、連続して画像送り処理を行ったり、画像を送る際の送り速度を速くしたり、３枚毎に画像を送ったりすることをいう。本実施形態では、画像早送りでは、通常の画像送りと同様の画像番号順で、画像が１枚ずつ順次表示されるが、通常の画像送りとは異なり、画像送りが連続して実行され、画像送りの速度が速くなる。以降の説明では、ホイールボタン２１１を連続で回転させる操作を、連続画像送り操作という。
【００４０】
また、前記連続画像送り操作が行われると、前述の早送りが行われるとともに、画像ジャンプ機能を実行するための画像ジャンプメニュー３０４が表示される。通常の画像送りや画像早送りでは画像番号順に画像が表示されるが、画像ジャンプ機能を実行すると、画像番号順ではなく、所定の条件を満たす画像が順に１枚ずつ表示されていく。画像ジャンプメニュー３０４は、例えば、日付ジャンプ、また、１０枚ジャンプ、１００枚ジャンプといった項目が表示される。日付ジャンプを実行すると、日付が異なる画像に切り替えて画像を表示するための項目であり、右ボタンが押された場合には、現在表示している画像の日付以降で一番近い日付の画像が１枚表示される。また、左ボタンが押されると、現在表示している画像の日付より前で一番近い日付の画像が１枚表示される。また、枚数ジャンプの場合は、画像番号順で画像が表示されるが、指定された枚数分、画像をとばして表示していく。つまり、１０枚ジャンプを実行すると、現在表示されている画像の１０枚先または後の画像に切り替えて表示され、１００枚ジャンプの場合は、１００枚先または後の画像に切り替わる。ユーザは、画像ジャンプメニュー３０４の項目のいずれかを上ボタン２０７又は下ボタン２０８によって選択した状態で、ＳＥＴボタン２１４を押下する。ＳＥＴボタン２１４の押下により、表示画面に表示されている画像から、選択した項目で特定される条件を満たす画像へ、ジャンプして画像を表示することができる。ＳＥＴボタンではなく左右ボタンの押下に応じて画像ジャンプ機能を実行しても良い。左右ボタンで選択する場合、ジャンプ機能の実行を選択した上に、前の画像を表示するか後の画像を表示するかをユーザが選択することが１回の操作で可能となる。
【００４１】
なお、画像の連続画像送り操作は、ホイールボタン２１１を連続回転させることによる操作のみに限定されるものではない。例えば、左ボタン２０９又は右ボタンを連続して押下する操作や、左ボタン２０９又は右ボタン２１０を長押しする操作、ホイールボタン２１１又は左ボタン２０９、右ボタン２１０を所定回数押下する操作などがある。
【００４２】
３０５は、画像ジャンプメニュー３０４が表示された状態で再び画像送りボタンの操作を行うと、画像ジャンプメニュー３０４が消える旨の通知の表示である。
【００４３】
３０３は、画像ジャンプ機能の正規の使用方法を通知する旨の表示である。正規の使用方法とは、本実施形態のおいて画像再生モードにおいて画像表示中に上ボタン２０７を押下することにより画像ジャンプメニューを表示する方法である。３０３のように、画像再生モード時に上ボタン２０７を押すことで画像ジャンプ機能を使用できる旨をＬＣＤに表示してユーザに通知する。なお、カメラが３０１のようにスピーカを内蔵しているのであれば、画像ジャンプ機能の正規の使用方法を３０６のように音声によってユーザに通知するようにしても良い。
【００４４】
次に、図３を用いて、図２（ｂ）の画像ジャンプメニューの詳細について説明する。
【００４５】
まず、連続画像送り操作を検知した場合に、最初に表示される画像ジャンプメニューは、図３（ａ）のような画像ジャンプを機能毎に項目分けしたメニューである。
【００４６】
表示される項目は、画像の撮影日時を元に任意の画像にジャンプする日付ジャンプ。人物画像や風景画像など画像をカテゴリに分けてそのカテゴリに該当する画像にジャンプするカテゴリジャンプ。画像が保存されているフォルダを元に、次のフォルダに格納されている画像または指定したフォルダに格納されている画像にジャンプするフォルダジャンプ。動画像のみを選択してジャンプする動画ジャンプ。１０枚先の画像にジャンプする１０枚ジャンプ。１００枚先の画像にジャンプする１００枚ジャンプ。等がある。
【００４７】
この画像ジャンプメニュー表示中は、ユーザは上ボタン２０７又は下ボタン２０８を押下することで、（ｂ）のように項目を移動させ、所望の画像を探すために適切な画像ジャンプメニューの項目を指定することができる。図３において、指定されたジャンプメニューの項目は太線白抜きで示されている。メニュー項目の特定は、該当項目を指定した状態でＳＥＴボタン２１４を押下することによって行う。なお、日付ジャンプやカテゴリジャンプなど細項目が存在するものに関しては、（ｃ）、（ｄ）のように細項目を表示する。
【００４８】
細項目は、メモリカード内の画像のＥＸＩＦ（Ｅｘｃｈａｎｇｅａｂｌｅ  Ｉｍａｇｅ  Ｆｉｌｅ  Ｆｏｒｍａｔ）情報を元に表示する。例えば、日付ジャンプの細項目に関しては、ＥＸＩＦ情報から撮影日時を取得し、メモリカード内に存在する画像の全ての撮影日時を調べ、調べた結果分かった撮影日時を細項目として一覧表示する。
【００４９】
日付ジャンプの細項目表示（ｃ）においても、上ボタン２０７又は下ボタン２０８を押下することで項目を指定でき、ＳＥＴボタン２１４を押下することで特定を行うことができる。例えば、２００７／１０／３０の項目が特定された場合には、２００７年１０月３０日に撮影された画像のうち、画像番号が最も小さいものが初めに表示され、画像ジャンプする。画像ジャンプがされた以降は、ホイールボタン２１１を回転させることで、２００７年１０月３０日に撮影された画像を１枚ずつ順次画像送りしていく。また、この際に、左ボタン２０９又は右ボタン２１０が押下された場合には、異なる日付の画像に切り替える。（ｃ）の場合には、右ボタンが１回押下されると、２００８／０１／０１の日時に該当する画像、さらに右ボタン２１０が１回押下されると、２００８／０２／０７の日時に該当する画像に切り替わる。カテゴリジャンプの細項目に対する操作方法も日付ジャンプと同様である。
【００５０】
また、１０枚ジャンプのように、特に細項目の表示が必要ないジャンプ機能の場合には、（ａ）、（ｂ）のような画像ジャンプメニューにおける項目特定時に、現在表示中の画像から直接１０枚先の画像にジャンプする。以降は、右ボタン２１０が押下される毎に１０枚先の画像に進み、左ボタンが押下される毎に１０枚前の画像に戻って画像表示が行われる。また、この状態においても、ホイールボタン２１１を回転させることで、１枚ずつの画像送りができる。
【００５１】
１００枚ジャンプに関しても１０枚ジャンプと同様に、右ボタン２１０、左ボタン２０９が押下された際に、１００枚ずつ画像ジャンプが行われる。
【００５２】
なお、画像ジャンプメニューは、一旦正規の使用方法で画像ジャンプ機能を利用したら、それ以降は、画像送りボタンが操作されたことに応じて画像ジャンプメニューを表示することはしないようにしても良い。すなわち、ユーザが画像送り中に上ボタン２０７を押すことで画像ジャンプメニューを使用した後は、ホイールボタン２１１を所定回転させても、図２（ｂ）の３０４を表示しないようにする。
【００５３】
また、連続画像送り操作によって表示される画像ジャンプメニューと、正規の使用方法によって表示される画像ジャンプメニューとでは、異なるメニューであっても良い。例えば、連続画像送り操作に応じて表示される表示メニューは、表示されたメニューの項目のいずれかひとつを指定したら直ちに該指定した画像へとジャンプするようにする。一方、正規の使用方法によって表示される表示メニューは、ジャンプ機能の分類毎に細項目が表示され、ユーザによってより詳細なジャンプするための指示を設定させるようにする。
【００５４】
また、画像ジャンプメニューで表示する項目は、メモリカード１０１に記憶されている画像の枚数に応じて、ある項目を非表示にするようにしても良い。例えば、メモリカード１０１に記憶されている画像の枚数が１００枚未満の場合には、１００枚ジャンプの機能は不必要なため、１００枚ジャンプするためのメニュー項目を非表示にする。同様に、メモリカード内にフォルダが１つしかない場合には、フォルダジャンプメニュー項目を非表示にし、同じ日付の画像しか記憶されていない場合には日付ジャンプメニュー項目を非表示にする。
【００５５】
さらに他の表示例として、上記のような場合に、項目を非表示にするのではなく、優先順位を下げて他の項目よりも下に表示する、もしくは指定できないようにしても良い。
【００５６】
＜画像ジャンプメニューの表示処理＞
図４のフローチャートに則して、画像送りボタンにより画像送り操作が行われた際に画像ジャンプメニューを表示する処理を説明する。図４のフローチャートを実行するためのプログラムは、図１のシステム制御部１０８のＲＯＭ（不図示）に格納されており、システム制御部１０８は、ＵＩ制御部１０６からの要求に応じて各処理を実行する。
【００５７】
まず、画像再生モードではメモリカード１０１に記録されている画像データの１画像分の画像データがＩ／Ｏ制御部１０２によって読み出され、表示部１０５のＬＣＤ２０２に表示される。この状態で本フローチャートは実行を開始する。
【００５８】
Ｓ４００では、ユーザによって図２（ａ）のホイールボタン２１１が回転操作されることにより画像送り操作がなされると、ＵＩ操作部１０７が備える検知回路は、この操作を検知する。ホイールボタン２１１の回転操作を検知したＵＩ操作部１０７は、検出信号をＵＩ制御部１０６に出力する（Ｓ４００）。なお、Ｓ４００の画像送り操作は、ホイールボタン２１１を回転させる操作に限定されるものではなく、右ボタン２１０や左ボタン２０９の押下による操作であってもかまわない。更に言えば、表示画面に表示された画像を１枚切り替えるための操作であればよい。
【００５９】
Ｓ４０１では、ＵＩ制御部１０６は、ＵＩ操作部１０７が出力した検出信号を受け画像送りボタンの操作を判定する。そして、表示画面に表示された画像を１枚切り替える画像送り処理が行われる（Ｓ４０１）。この処理は、システム制御部１０８がＩ／Ｏ制御部１０２に対してメモリカード１０１に格納されている次の画像を読み出す指示を行うことによって行われる。
【００６０】
Ｓ４０２では、画像が１枚送られる毎に画像送り枚数を１だけ加算し、画像送りされた画像枚数を計測する。画像送り枚数の保持するカウンタがシステム制御部１０８のメモリ（不図示）に保持されており、この加算処理はシステム制御部１０８のＣＰＵ（不図示）により行われる。システム制御部１０８は、Ｓ４０２で画像送り枚数が新たに加算されてからの時間をタイマ（不図示）によって計測する。
【００６１】
Ｓ４０３では、システム制御部１０８が、タイマによって計測された時間が予め設定された規定値Ｔ［ｓｅｃ］以上であるか否かを判断する（Ｓ４０３）。Ｓ４０３で判断した結果、規定値Ｔ［ｓｅｃ］以上の時間が経過した場合、システム制御部１０８は画像送り枚数の変数をクリアし（Ｓ４０８）、Ｓ４００の処理に戻る。
【００６２】
Ｓ４０４では、システム制御部１０８は画像送り枚数が予め設定された規定値Ｍ［枚］に達したか否かを判定して、連続画像送り操作がされたか否かを判断する（Ｓ４０４）。Ｓ４０４で判断した結果、画像送り枚数が規定値Ｍ［枚］に達していない場合、再び画像送りボタンが操作されるまで待機する。
【００６３】
なお、規定値Ｔ［ｓｅｃ］及び規定値Ｍ［枚］に関しては、デジタルカメラで予め規定した値を用いても良いし、ユーザによって変更可能にして、ユーザが設定した値を用いても良い。
【００６４】
Ｓ４０５で、システム制御部１０８は、表示部１０５に対して画像ジャンプメニュー及びジャンプ機能の正規の使用方法によりジャンプ機能が利用できる旨の通知を表示する表示要求を行う。この処理は、画像再生部１０４に対しての早送りの指示とともに行われる。表示要求を受けた表示部１０５は、画像ジャンプメニューの表示及びジャンプ機能の正規の利用方法の通知を行う。画像ジャンプメニューは、図２（ｂ）の３０４で示したメニューである。正規の使用方法によりジャンプ機能が利用できる旨の通知は、図２（ｂ）の３０３で示した画面である。正規の使用方法は、本実施形態においては、画像再生モードにおいて上ボタン２０７を押下することによって画像ジャンプメニューが表示する方法である。この通知は、画像ジャンプメニューの表示要求とともに作成され、表示部１０５が表示画面に表示される。
【００６５】
さらに、表示部１０５は図２（ｂ）の３０５のように、画像送りを続行した場合には画像ジャンプメニューの表示を解除する旨を、表示画面に表示してユーザに通知する。
【００６６】
上ボタン２０７を押下することによって画像ジャンプメニューが表示される旨をユーザに通知することにより、次にジャンプ機能を利用するユーザは、効率的に画像を見つけることができる。
【００６７】
またＳ４０５で、ジャンプ機能の正規の使用方法を表示部１０５に表示する代わりに、音声出力によってユーザに通知する。音声出力によって通知することによって、表示部１０５に表示されている画像の領域を狭くすることなく、ユーザに正規の使用方法を通知することができる。
【００６８】
Ｓ４０６では、Ｓ４０５における画像ジャンプメニューの表示中、又は正規の使用方法の通知中に、ユーザの画像送りボタンによる操作がなされたか否かを判断する（Ｓ４０６）。Ｓ４０６で、画像送りボタンによる操作がなされたと判断した場合には、システム制御部１０８は表示部１０５に対して画像ジャンプメニューと図２（ｂ）における３０５の表示を解除し、また音声ガイダンスを中止する指示を行う（Ｓ４０７）。これは、画像ジャンプメニューの表示中にユーザが画像送り操作を続行するのは、画像ジャンプ機能の使用を必要としていないことが多いためである。Ｓ４０７で画像ジャンプメニュー又は正規の使用方法の表示を解除した後、画像送り枚数をクリアし（Ｓ４０８）、ユーザによる次の画像送り操作を待つ。Ｓ４０６で画像ジャンプメニュー表示中に、さらに画像送りが操作された場合に、Ｓ４０７画像ジャンプメニューの表示を解除し非表示にしたが、画像ジャンプメニューが表示されてから所定枚数分の画像送りがされたことに応じて、画像ジャンプメニューの表示を中止するようにしても良い。
【００６９】
画像ジャンプメニュー項目が、上ボタン２０７又は下ボタン２０８で選択移動され、ＳＥＴボタン２１４で特定されたことをＵＩ操作部１０７が検知したら（Ｓ４０９）、画像再生部１０４は、ジャンプ項目に対応する条件の画像を再生する。再生部で読み出した画像を受け、表示部１０５はこの画像を表示画面に表示する（Ｓ４１０）。Ｓ４９０において、画像ジャンプメニューでジャンプ項目が選択され、画像ジャンプの機能が実行された後は、画像ジャンプの機能が解除されるまでは、左右ボタンを押すと、ジャンプ項目に応じた画像が順次表示される。例えば、日付ジャンプの場合は、左右ボタンの押下に応じて日付の異なる画像が表示され、１０枚ジャンプの場合は、左右ボタンの押下に応じて１０枚先または後の画像が表示される。
【００７０】
本実施例によれば、画像送り中に画像ジャンプ機能を利用でき、且つ画像ジャンプ機能の使用方法を通知するので、連続画像送り操作を行えば、効率的に所望の画像をすばやく見つけることができ、かつユーザビリティの高いデジタルカメラを提供することができる。
【００７１】
なお、本実施例では、画像送りされた画像枚数を計測して連続画像送り操作がなされたか否かを判断しているが、画像送り操作がされている時間を計測することで判断しても良い。画像送り操作がされている時間が長ければ、１枚ずつ画像を送って画像を探すよりも、ジャンプ機能を利用する方が目的の画像を見つけるまでの時間を短縮できることが多いので、画像ジャンプメニューを表示して画像ジャンプすることを促す。
【００７２】
また、画像送りボタンを長押しすることに応じて、画像ジャンプメニューを表示するようにすることも考えられる。この場合、図４のフローチャートのＳ４０２の画像送り枚数加算処理の代わりに、システム制御部１０８は画像送りボタンがユーザによって押下されている時間を計測する。そして、Ｓ４０３、Ｓ４０４の代わりに、画像送りボタンが押下されている時間が、予め設定された規定時間を経過したか否かを判断する。前記規定時間が経過する以前に画像送りボタンが離された場合には、Ｓ４００の処理に戻り、画像送りボタンが押下されている時間が前記規定時間を経過した場合には、Ｓ４０５に移行する。
【００７３】
このように、画像送りボタンを長押しすることに応じて画像ジャンプメニューを表示するようにしてもよいし、画像送り処理の回数に応じて画像ジャンプメニューを表示するようにしてもよいし、あるいは、この両方の機能を備えていてもよい。
【００７４】
また、画像送りボタンを長押しすることによって、複数枚毎に画像を送る複数枚送り操作を行い、更に一定時間画像送りボタンを長押ししつづけた際に画像ジャンプメニューを表示するようにすることも可能である。このように、画像ジャンプメニューを表示させるタイミングは、画像送りボタンの押下される回数や時間に応じて変更することが可能である。
【００７５】
また、記憶媒体に格納されている画像を表示する表示部と、画像ジャンプメニューを表示する表示部とがそれぞれ別々の表示部として設けられている形態であってもかまわない。画像と画像ジャンプメニューを別々の表示部に表示させることによって、画像送り中に表示された画像がより視認しやすくなるので、画像送り中の画像を確認しながら、ジャンプ機能を利用するかをユーザが判断しやすくなる。
【００７６】
また、本実施例では、撮像装置の例としてデジタルカメラを用いて詳述したが、本発明のデジタルカメラを他の撮像装置にも適用することができる。例えば、ビデオカメラなど、記憶媒体に記憶された撮像画像を再生する機能を有する装置が挙げられる。
【００７７】
さらに、本発明のデジタルカメラを他の表示制御装置に適用することができる。例えば、表示画面を有する情報処理装置、画像を表示させるプロジェクタ、タッチパネル付きのプリンタ、携帯電話などを他の表示制御装置に適用しても良い。
【００７８】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００７９】
１０１  メモリカード
１０２  Ｉ／Ｏ制御部
１０３  バス
１０４  画像再生部
１０５  表示部
１０６  ＵＩ  制御部
１０７  ＵＩ  操作部
１０８  システム制御部
【図１】
2010288269.tif 000003
【図２】
2010288269.tif 000004
【図３】
2010288269.tif 000005
【図４】
2010288269.tif 000006